(57)【要約】      （修正有）【課題】画像読取装置において、シートスルー方式の画像読取りにおける原稿の搬送がスムーズに行なわれることにより、良好な画像データを取得する。【解決手段】画像読取装置１２は、原稿を流し読み取りする読取位置に搬送する上流ローラと、読取位置から原稿を排出する下流ローラと、読取位置に設けた原稿ガラスと、読取位置の下流側に位置する軸部材に回動自在に支持され、上流ローラから搬送される原稿を原稿ガラスとの隙間を経由して下流ローラに案内する搬送ガイドと、搬送ガイドの下流側を原稿ガラス側に付勢する付勢部材とを備える。原稿が読取位置を経由して下流ローラへ搬送されるまで、読取位置付近の搬送ガイドと原稿ガラスの隙間が最も狭くて適正な状態に維持され、かつ、下流ローラが原稿を搬送するに伴って、搬送ガイドの下流側を付勢方向の対向方向に回動する。これにより、搬送ガイドの読取位置より上流側部分が原稿を原稿ガラス側に加圧する。【選択図】図２
2010021995.tif 000002
【特許請求の範囲】
【請求項１】
搬送される原稿の画像を読み取る画像読取位置に前記原稿を搬送する第１の搬送ローラと、
前記画像読取位置を通過した前記原稿を搬送する第２の搬送ローラと、
前記画像読取位置に配置する透明の原稿受け部材に対向する位置に配置して搬送経路を形成し、前記画像読取位置の下流側に位置する支持軸に回動自在に支持され、前記第１の搬送ローラから搬送される前記原稿を前記第２の搬送ローラに案内する、断面が略円弧状に形成される搬送ガイドと、
前記搬送ガイドの下流側を前記原稿受け部材側に付勢する付勢部材と、を備え、
前記第２の搬送ローラによる前記原稿の搬送動作に伴って、前記搬送ガイドの下流側が、前記付勢部材の付勢方向に対向する対向方向に前記支持軸を支点に回動する構成とすることを特徴とする原稿搬送装置。
【請求項２】
前記搬送ガイドの下流側が前記対向方向に回動することで、前記搬送ガイドの前記画像読取位置より上流側部分が前記原稿を前記原稿受け部材側に加圧する構成とすることを特徴とする請求項１に記載の原稿搬送装置。
【請求項３】
前記搬送ガイドの上流側に、前記搬送ガイドが前記対向方向に回動する場合に前記原稿受け部材と当接して前記対向方向への過剰回動を規制する上流側突部と、
前記搬送ガイドの下流側に、前記搬送ガイドが前記付勢方向に回動する場合に前記原稿受け部材と当接して前記付勢方向への回動を規制する下流側突部と、をさらに設けることを特徴とする請求項１に記載の原稿搬送装置。
【請求項４】
前記搬送ガイドは、前記原稿が前記画像読取位置を通過して前記第２の搬送ローラに搬送されるまで、前記画像読取位置における前記搬送ガイドと前記原稿受け部材との隙間が最も適正寸法となる形状に形成されていることを特徴とする請求項１に記載の原稿搬送装置。
【請求項５】
原稿の画像面に露光を照射して画像を読取る画像読取装置において、
搬送される前記原稿の画像を流し読み取りする画像読取位置を有する画像読取部と、
前記画像読取位置に配置する透明の原稿受け部材と、
前記原稿を前記画像読取位置に搬送する第１の搬送ローラと、
前記画像読取位置を通過した前記原稿を搬送する第２の搬送ローラと、
前記原稿受け部材と対向する位置に配置して搬送経路を形成し、前記原稿の搬送方向と鉛直方向の断面が円弧状に形成され、前記画像読取位置の下流側に位置する支持軸に回動自在に支持され、前記第１の搬送ローラから搬送される前記原稿を前記第２の搬送ローラに案内する搬送ガイドと、
前記搬送ガイドの下流側を前記画像読取部側に付勢する付勢部材と、を備え、
前記第２の搬送ローラによる前記原稿の搬送動作に伴って、前記搬送ガイドの下流側が、前記付勢部材の付勢方向に対向する対向方向に前記支持軸を支点に回動する構成とすることを特徴とする画像読取装置。
【請求項６】
前記搬送ガイドの下流側が前記対向方向に回動することで、前記搬送ガイドの前記画像読取位置より上流側部分が前記原稿を前記原稿受け部材側に加圧する構成とすることを特徴とする請求項５に記載の画像読取装置。
【請求項７】
前記搬送ガイドの上流側に、前記搬送ガイドが前記付勢方向の対向方向に回動する場合に前記原稿受け部材と当接して前記対向方向への過剰回動を規制する上流側突部と、
前記搬送ガイドの下流側に、前記搬送ガイドが前記付勢方向に回動する場合に前記原稿受け部材と当接して前記付勢方向への回動を規制する下流側突部と、をさらに設けることを特徴とする請求項５に記載の画像読取装置。
【請求項８】
前記搬送ガイドは、前記原稿が前記画像読取位置を通過して前記第２の搬送ローラに搬送されるまで、前記画像読取位置における前記搬送ガイドと前記原稿受け部材との隙間が適正寸法となる形状に形成されていることを特徴とする請求項５に記載の画像読取装置。
【請求項９】
第１の搬送ローラにより搬送されて画像読取位置を通過する原稿を案内する搬送ガイドと前記画像読取位置に配置する透明の原稿受け部材との隙間を経て、前記原稿が第２の搬送ローラまで搬送されている間、前記搬送ガイドの下流側部分を前記原稿受け部材側に付勢し、前記搬送ガイドが前記付勢の方向の対向方向に回動することで、前記搬送ガイドの上流側部分が前記原稿を前記原稿受け部材側に加圧することを特徴とする原稿搬送方法。
【請求項１０】
前記画像読取位置を通過した前記原稿の先端を挟持し、且つ、搬送する前記第２の搬送ローラの搬送動作に伴って、前記搬送ガイドの下流側が前記対向方向に回動することを特徴とする請求項９に記載の原稿搬送方法。
【発明の詳細な説明】
【技術分野】
【０００１】
本発明は、複数の原稿を１枚ずつ所定の画像読取位置に供給し、原稿の画像読取り後に排紙トレイに排出する原稿搬送装置を備える画像読取装置、及び原稿搬送方法に関する。
【背景技術】
【０００２】
複写機等の画像形成装置の画像読取装置には、原稿を１枚ずつ画像読取位置に搬送する自動原稿搬送装置を有するものがある。原稿搬送装置は、複数枚の原稿を連続して画像読取位置に搬送し、その搬送された原稿を所定の画像読取位置を通過させる。画像読取位置を通過する原稿を１ラインずつ流し読み取りするシートスルー方式を採用する画像読取装置は、画像読取位置に長方形の透明な原稿受け部材（ガラス板）が設けられ、透明の原稿受け部材越しに露光ランプからの光を原稿の画像面に照射し、反射光をレンズで収束させ、収束した光をＣＣＤ（Charge Coupled Device）ラインセンサに投影して読み取る。
【０００３】
シートスルー方式を行なう画像形成装置として、画像読取位置においてプラテンローラとガイド部材に接触する透明フィルム部材を設け、原稿の搬送性能を向上させると共に、画像読取位置の清掃や部品の交換等のメンテナンス性に優れた原稿搬送装置を有するものがある（例えば、特許文献１参照。）。
【０００４】
また、電子写真装置において、搬送される原稿が画像露光面に密着するように、バネにより下方に付勢されている搬送ガイドを備えるストレートパス型の自動原稿送り装置を有するものがある（例えば、特許文献２参照。）。
【先行技術文献】
【特許文献】
【０００５】
【特許文献１】特開２００４−６１９７８号公報
【特許文献２】特開２００１−３０９１１７号公報
【発明の概要】
【発明が解決しようとする課題】
【０００６】
しかしながら、従来技術では、流し読み取部の原稿を受ける透明の原稿受け部材とガイド部材間の搬送経路の隙間が固定されており、隙間を比較的広くすれば、読取位置の透明の原稿受け部材上で原稿がばたつくため印刷用紙上の画像品質が悪化する。一方、隙間を比較的狭くすれば、透明の原稿受け部材上における原稿のばたつきは改善されるが、原稿のジャム、及び、原稿が隙間に進入する際の原稿の先端のブレ等の原因となる。また、過度に隙間を狭くすれば、原稿がガイド部材に当接する等のスムーズに搬送されなくて、原稿の搬送速度が変動して副走査ピッチ乱れによる読取画質低下の要因となる。
【０００７】
また、原稿が同じ速度で搬送されてきて、Ｂ（blue）のセンサが黒部分を読取っている瞬間に搬送が乱れた場合、通常黒部分では信号値が低いはずが高い値となり、Ｇ（green）やＲ（red）との差が大きくなる。よって、カラースキャナではＣＣＤのＲＧＢ信号値のバランスで色を判断していることから、黒を他の色と判断してしまう。したがって、原稿の搬送速度を乱さないことが重要となる。
【０００８】
本発明は、上述のような事情を考慮してなされたもので、原稿の画像の流し読取りにおける原稿の搬送がスムーズに行なわれることにより、良好な画像データを取得できる原稿搬送装置、画像読取装置、及び原稿搬送方法を提供することを目的とする。
【課題を解決するための手段】
【０００９】
本発明に係る原稿搬送装置は、上述した課題を解決するために、搬送される原稿の画像を読み取る画像読取位置に前記原稿を搬送する第１の搬送ローラと、前記画像読取位置を通過した前記原稿を搬送する第２の搬送ローラと、前記画像読取位置に配置する透明の原稿受け部材に対向する位置に配置して搬送経路を形成し、前記画像読取位置の下流側に位置する支持軸に回動自在に支持され、前記第１の搬送ローラから搬送される前記原稿を前記第２の搬送ローラに案内する、断面が略円弧状に形成される搬送ガイドと、前記搬送ガイドの下流側を前記原稿受け部材側に付勢する付勢部材と、を備え、前記第２の搬送ローラによる前記原稿の搬送動作に伴って、前記搬送ガイドの下流側が、前記付勢部材の付勢方向に対向する対向方向に前記支持軸を支点に回動する構成とする。
【００１０】
本発明に係る画像読取装置は、上述した課題を解決するために、原稿の画像面に露光を照射して画像を読取る画像読取装置において、搬送される前記原稿の画像を流し読み取りする画像読取位置を有する画像読取部と、前記画像読取位置に配置する透明の原稿受け部材と、前記原稿を前記画像読取位置に搬送する第１の搬送ローラと、前記画像読取位置を通過した前記原稿を搬送する第２の搬送ローラと、前記原稿受け部材と対向する位置に配置して搬送経路を形成し、前記原稿の搬送方向と鉛直方向の断面が円弧状に形成され、前記画像読取位置の下流側に位置する支持軸に回動自在に支持され、前記第１の搬送ローラから搬送される前記原稿を前記第２の搬送ローラに案内する搬送ガイドと、前記搬送ガイドの下流側を前記画像読取部側に付勢する付勢部材と、を備え、前記第２の搬送ローラによる前記原稿の搬送動作に伴って、前記搬送ガイドの下流側が、前記付勢部材の付勢方向に対向する対向方向に前記支持軸を支点に回動する構成とする。
【００１１】
本発明に係る原稿搬送方法は、上述した課題を解決するために、第１の搬送ローラにより搬送されて画像読取位置を通過する原稿を案内する搬送ガイドと前記画像読取位置に配置する透明の原稿受け部材との隙間を経て、前記原稿が第２の搬送ローラまで搬送されている間、前記搬送ガイドの下流側部分を前記原稿受け部材側に付勢し、前記搬送ガイドが前記付勢の方向の対向方向に回動することで、前記搬送ガイドの上流側部分が前記原稿を前記原稿受け部材側に加圧する。
【発明の効果】
【００１２】
本発明に係る原稿搬送装置、画像読取装置、及び原稿搬送方法によれば、原稿の画像の流し読取りにおける原稿の搬送がスムーズに行なわれることにより、良好な画像データを取得する。
【図面の簡単な説明】
【００１３】
【図１】画像形成装置の外観例を示す斜視図。
【図２】本実施形態の画像読取装置の内部構造の例を示す断面図。
【図３】本実施形態の画像読取装置の画像読取位置付近の内部構造を拡大して示す断面図。
【図４】本実施形態の画像読取装置の画像読取位置付近の内部構造を拡大して示す断面図。
【図５】本実施形態の画像読取装置の画像読取位置付近の内部構造を拡大して示す断面図。
【図６】本実施形態の画像読取装置の画像読取位置付近の内部構造を拡大して示す断面図。
【図７】本実施形態の画像読取装置に備える搬送ガイドの支持機構、及び付勢機構の一例を示す分解立体図。
【発明を実施するための形態】
【００１４】
原稿搬送装置、画像読取装置及び原稿搬送方法の実施形態について、添付図面を参照して説明する。
【００１５】
図１は、画像形成装置の典型例としてのＭＦＰ（Multi function Peripheral）の外観例を示す斜視図である。
【００１６】
図１は、読取部の位置を固定して流し読みするシートスルー方式と、読取部を往復移動して原稿載置台に載置された静止原稿の画像を読取ることを可能にした画像読取方式とを採用する画像形成装置１０を示す。画像形成装置１０は、装置本体（画像形成部）１１、本実施形態の画像読取装置１２、及び手差し給紙部１３を備える。装置本体１１は、操作部２１、給紙カセット２２、及び画像形成部２３を備える。画像形成装置１０は、図示しないが、ＣＰＵ（Central Processing Unit）を含むプロセッサを備える。なお、画像形成装置１０は、ＰＰＣ（Plain Paper Copier）複写機、プリンタであってもよい。
【００１７】
画像形成装置１０は、装置本体１１の上部に画像読取装置１２を設ける。画像読取装置１２は、原稿搬送装置としての両面対応自動原稿搬送装置（ＲＡＤＦ：Reversible Auto Document Feeder）１２１を含む。なお、原稿搬送装置はＲＡＤＦ１２１に限定されるものではなく、例えば、自動原稿搬送装置（ＡＤＦ：Auto Document Feeder）であってもよい。
【００１８】
画像形成装置１０は、手前側に操作部２１を設ける。操作部２１は、例えばタッチパネルディスプレイを含んでいる。操作部２１は、操作部２１における表示内容に基づくユーザの操作及びＪｏｂの設定入力を受け付ける操作入力部としての役割も有している。
【００１９】
画像形成装置１０は、装置本体１１の下方部分に、手前側に引き出すことが可能な数段（図１では４段）の給紙カセット２２を設ける。給紙カセット２２は、それぞれ複数枚の記録用紙を積層収容する。
【００２０】
画像形成装置１０は、装置本体１１の側方に、手差し給紙部１３を設ける。手差し給紙部１３の手差しトレイ１３１は、装置本体１１に回転軸を支持されることで装置本体１１に対して開閉自在な構造を有し、ユーザ操作によって装置本体１１に収納可能である。ユーザが手差しトレイ１３１を装置本体１１から開いた状態で記録用紙を手差しトレイ１３１上に載置することで、手差し給紙部１３は、記録用紙を１枚ずつ画像形成部２３に供給する。
【００２１】
画像形成装置１０を用いて、例えば、コピー処理（所定の画像形成）を行なう場合、まず、画像形成装置１０は、ユーザによる操作部２１への操作入力に基づいて、画像読取装置１２のＲＡＤＦ１２１は、原稿Ｄを画像読取位置まで自動搬送する。画像読取装置１２は、ＲＡＤＦ１２１が搬送する原稿Ｄの画像を、画像読取位置Ｒに設ける透明な部材のガラス等で形成される透明の原稿受け部材としての原稿ガラス１２２（図２乃至図６参照）越しに露光ランプ１２３（図２参照）からの光を原稿Ｄの画像面に照射し、その反射光を、反射ミラー１２４，１２５，１２６（図２参照）を介して結像レンズブロック１２７（図２参照）で収束させ、収束された光をＣＣＤ（Charge Coupled Device）センサ１２８（図２参照）によって光電変換して読み取る。画像読取装置１２は、露光ランプ１２３、反射ミラー１２４，１２５，１２６及びＣＣＤセンサ１２８等によって構成されるスキャンユニット（後述する画像読取部）を備え、露光ランプ１２３、反射ミラー１２４，１２５，１２６等を搭載するキャリッジ１２９（図２参照）を副操作（用紙搬送）方向に移動させることにより、画像読取装置１２に備える原稿載置台のプラテンガラス１３０（図２参照）に載置する静止原稿の画像を読取るモードと、ＲＡＤＦ１２１の所定の画像読取位置Ｒでキャリッジ１２９を停止して原稿ガラス１２２を介して、搬送される原稿Ｄの画像を流し読取るモード（シートスルー方式）を備えている。
【００２２】
そして、操作部２１への操作入力に基づいて選択された給紙方法によって、給紙カセット２２又は手差し給紙部１３は、記録用紙の給紙動作を行なう。給紙カセット２２又は手差し給紙部１３は、記録用紙を画像形成部２３に搬送する。画像形成部２３は、記録用紙に対して、画像読取装置１２が読み取る画像データに基づく画像形成処理を施し、コピー処理を完了する。
【００２３】
図２は、本実施形態の画像読取装置１２の内部構造の例を示す断面図である。
【００２４】
画像読取装置１２は、ＲＡＤＦ１２１に、原稿トレイ３１、搬送機構３２、排紙トレイ３３、搬送ガイド３４、及び付勢部材３５を備える。原稿トレイ３１は、複数の原稿Ｄを載置可能である。搬送機構３２は、原稿Ｄを原稿トレイ３１から排紙トレイ３３まで案内する第１のガイド部材（外側ガイド部材）３２ａ及び第２のガイド部材（内側ガイド部材）３２ｂを備える。第１のガイド部材３２ａ及び第２のガイド部材３２ｂの隙間には、原稿Ｄを搬送する搬送経路Ｃが形成される。搬送経路Ｃは、原稿トレイ３１及び排紙トレイ３３を連結し、原稿トレイ３１上の原稿Ｄを搬送経路Ｃに沿って排紙トレイ３３に搬送する。排紙トレイ３３は、搬送機構３２が排出する原稿Ｄを載置する。
【００２５】
搬送機構３２は、原稿Ｄの搬送方向の上流側から順に搬送経路Ｃに沿って、ピックアップローラ３２ｃ、さばきローラ３２ｄ、レジストローラ３２ｅ、中間ローラ３２ｆ、第１の搬送ローラ（以降、「上流ローラ」と呼称）３２ｇ、第２の搬送ローラ（以降、「下流ローラ」と呼称）３２ｈ、排紙・スイッチバックローラ３２ｉ、及び反転ローラ３２ｊを備える。
【００２６】
ピックアップローラ３２ｃは、原稿トレイ３１から原稿Ｄを１枚ずつピックアップして搬送機構３２の搬送経路Ｃに取り込む。さばきローラ３２ｄは、ピックアップローラ３２ｃが複数枚の原稿群を取り込む場合に、最も上位にある原稿Ｄのみを通過させ、残りの原稿Ｄの進行を遮断する。レジストローラ３２ｅは、さばきローラ３２ｄがさばいた原稿Ｄを搬送経路Ｃに沿って搬送する。中間ローラ３２ｆは、レジストローラ３２ｅ、又は反転ローラ３２ｊを経て搬送される原稿Ｄを搬送する。上流ローラ３２ｇ、及び下流ローラ３２ｈは、画像読取位置Ｒの上流側及び下流側にそれぞれ配置される。すなわち、上流ローラ３２ｇ、及び下流ローラ３２ｈは、原稿Ｄを搬送して画像読取位置Ｒを通過させる搬送手段として機能する。
【００２７】
排紙・スイッチバックローラ３２ｉは、下流ローラ３２ｈによって搬送された原稿Ｄを排紙トレイ３３に排出するか、下流ローラ３２ｈによって搬送された原稿Ｄの搬送方向をスイッチバックさせて反転ローラ３２ｊに渡す。反転ローラ３２ｊは、排紙・スイッチバックローラ３２ｉからスイッチバックした原稿Ｄを搬送経路Ｃに沿って中間ローラ３２ｆに搬送する。
【００２８】
また、搬送機構３２は、スルーリード読取部の第２のガイド部材（内側）としての略円弧状に形成された搬送ガイド３４、及び付勢部材３５を有する。
【００２９】
搬送ガイド３４は、画像読取位置Ｒで原稿ガラス１２２に対向する位置（上方）に設けられ、原稿ガラス１２２との間に搬送経路を形成する。搬送ガイド３４は、用紙搬送方向と鉛直方向との断面が略円弧状に形成され、用紙搬送方向と鉛直方向との断面の直交方向で回動（揺動）自在に支持される。搬送ガイド３４は、原稿ガラス１２２との隙間を経由して上流ローラ３２ｇから搬送される原稿Ｄを下流ローラ３２ｈに案内する。
【００３０】
付勢部材３５は、搬送ガイド３４の下流側を原稿ガラス１２２側（矢示の方向Ｅ１）に付勢する。
【００３１】
また、画像読取装置１２の画像読取部は、原稿の画像面に露光を照射する露光ランプ１２３、第１乃至第３の反射ミラー１２４，１２５，１２６、結像レンズブロック１２７、画像信号出力手段としてのＣＣＤセンサ（ＣＣＤ型のラインセンサ）１２８によって構成される。露光ランプ１２３、第１乃至第３の反射ミラー１２４，１２５，１２６等を搭載するキャリッジ１２９は、往復動が自在となっており、キャリッジ１２９の副操作方向（用紙搬送方向）への往動と露光ランプ１２３の発光とによって、プラテンガラス１３０上の原稿を全面にわたって露光走査を行なう。露光走査により得られる原稿Ｄの反射光像が各反射ミラー１２４，１２５，１２６及び結像レンズブロック１２７を介して収束されてＣＣＤセンサ１２８に投影される。ＣＣＤセンサ１２８は、受光量に対応するレベルの画像信号を出力する。
【００３２】
画像読取装置１２は、画像読取位置Ｒに対向する位置にキャリッジ１２９を停止させ、原稿ガラス１２２を介して搬送される原稿Ｄに光を照射し、その反射光像を反射ミラー１２４，１２５，１２６、結像レンズブロック１２７及びＣＣＤセンサ１２８を介して画像を読取るシートスルー方式と、上述のようにプラテンガラス１３０に載置される静止原稿Ｄの画像を読取る方式とを有する。
【００３３】
図３乃至図６は、本実施形態の画像読取装置１２の画像読取位置Ｒ付近の内部構造を拡大して示す断面図である。図３は、原稿Ｄの画像読取位置Ｒへの搬送前の状態を示す。図４，図５は、上流ローラ３２ｇ及び下流ローラ３２ｈが原稿Ｄを挟持する状態を示す。図６は、下流ローラ３２ｈのみが原稿Ｄを挟持する状態を示す。
【００３４】
搬送ガイド３４は、支持フランジ部３４ａを介してＲＡＤＦ１２１の筐体（サイドフレーム）に揺動自在に軸支持されている（図７に参照）。搬送ガイド３４の下流側は、一端がＲＡＤＦ１２１のフレーム部（サイドフレーム）に係止されて他端が付勢フランジ部３４ｂにフックされている引張りスプリングの付勢部材３５により下方の原稿ガラス１２２側に付勢して支持されている。付勢部材３５の張力は、搬送ガイド３４が自重で支持フランジ部３４ａを支点に読取位置Ｒの上流方向に揺動しない重量バランスになる程度の張力に設定すればよい。
【００３５】
搬送ガイド３４は、搬送ガイド３４の上流側であって、搬送ガイド３４の回動によって原稿ガラス１２２と当接可能な位置に上流側突部３４ｃを設ける。搬送ガイド３４は、搬送ガイド３４の下流側であって、搬送ガイド３４の回動によって原稿ガラス１２２と当接可能な位置に下流側突部３４ｄを設ける。また、搬送ガイド３４は、下流側突部３４ｄよりも下流側であって原稿Ｄが搬送される側に、原稿Ｄを下流ローラ３２ｈに案内する案内突部３４ｅを設ける。
【００３６】
図３に示すように、搬送ガイド３４は、画像読取位置Ｒへの搬送前は、付勢部材３５による付勢方向（付勢方向Ｅ１）に付勢されている。その場合、搬送ガイド３４の支持フランジ部３４ａは、画像読取位置ＲよりＸｍｍ（Ｘ＝０．５〜２ｍｍ程度）下流側にずらして配置され、搬送ガイド３４の過剰の回動を規制する下流側突部３４ｄが原稿ガラス１２２に当接することで、搬送ガイド３４の曲率部と原稿ガラス１２２との隙間が画像読取位置Ｒにおいて最も狭くて適正な状態（隙間）で維持されている。つまり、画像読取位置Ｒにおける隙間は、画像形成装置１０の本体の仕様に定める記録媒体の最大用紙厚以上の適正寸法に設定されている。
【００３７】
上流ローラ３２ｇから搬送される原稿Ｄは、搬送ガイド３４の曲率部と原稿ガラス１２２との隙間を搬送され、原稿Ｄの先端が画像読取位置Ｒに到達する。次いで、原稿Ｄの先端は原稿ガラス１２２に沿って隙間をスムーズに搬送されるので、原稿Ｄの先端のブレやばたつきが解消される。さらに、図４に示すように、原稿Ｄの先端は、画像読取位置Ｒの下流側の第１のガイド部材３２ａとしてのガイド面３２ｌに沿って徐々に進み、下流ローラ３２ｈのニップ部に到達する。
【００３８】
さらに、図５に示すように、下流ローラ３２ｈのニップ部が原稿Ｄを挟持する（引き込む）と、原稿Ｄが引っ張られるに伴って、画像読取位置Ｒの下流側に形成される搬送経路Ｃで原稿Ｄが徐々に上方に引き上げられる。さらに、搬送ガイド３４の原稿Ｄを案内する側に形成した案内突部３４ｅに接触して搬送ガイド３４の下流側を付勢方向Ｅ１に対向する方向（対向方向Ｅ２）に押し上げる。搬送ガイド３４の下流側が押し上げられると、支持フランジ部３４ａの支持軸を支点として搬送ガイド３４が回動する。
【００３９】
搬送ガイド３４の回動に伴い、搬送ガイド３４の画像読取位置Ｒより上流側部分が、原稿Ｄの後端側を原稿ガラス１２２に加圧する。本実施形態では、搬送ガイド３４の原稿ガイド面に案内突部３４ｅを設けたが、搬送ガイド３４の下流側案内面を一体的な曲率面に形成してもよい。
【００４０】
搬送ガイド３４の画像読取位置Ｒより上流側部分が原稿Ｄの後端側を加圧することによって、搬送ガイド３４と原稿ガラス１２２との隙間を通過する原稿Ｄのばたつきが抑制されるので、画像の読取品質が安定する。また、搬送ガイド３４の上流側突部３４ｃが原稿ガラス１２２に当接することで、図５に示すように、搬送ガイド３４が過剰に回動することを規制して原稿Ｄを挟み込まないように支持されている。
【００４１】
さらに原稿Ｄが搬送され、原稿Ｄの後端が上流ローラ３２ｇから排出される。よって、図６に示すように、原稿Ｄの後端が上流ローラ３２ｇから排出されると原稿Ｄの後端は、搬送ガイド３４の曲率部に沿って付与されている撓みに対する復元力により、画像読取位置Ｒの上流側に形成される搬送経路Ｃ内を、第１のガイド部材３２ａとしてのガイド面３２ｋ及び原稿ガラス１２２に接触しながら搬送される。
【００４２】
次いで、原稿Ｄの搬送が進むと、画像読取位置Ｒから原稿Ｄの後端が抜け、原稿Ｄが下流ローラ３２ｈから排紙・スイッチバックローラ３２ｉを介して排紙トレイ３３に排出される。又は、原稿Ｄが下流ローラ３２ｈから排紙・スイッチバックローラ３２ｉを介して反転ローラ３２ｊに搬送される。搬送ガイド３４は、付勢部材３５の張力によって図３に示す状態に復帰する。
【００４３】
図７は、画像読取装置１２に備える搬送ガイド３４の支持機構、及び付勢機構の一例を示す分解立体図である。
【００４４】
ねじ軸Ｂが、ＲＡＤＦ１２１のフレーム部及び搬送ガイド３４の支持フランジ部３４ａを貫入することで、フレーム部は、支持フランジ部３４ａを支点として搬送ガイド３４を揺動自在に支持する。搬送ガイド３４の下流側は、一端がＲＡＤＦ１２１のフレーム部に係止される付勢部材３５の他端を付勢フランジ部３４ｂにフックされている。
【００４５】
画像形成装置１０に設ける本実施形態の画像読取装置１２によると、搬送ガイド３４を揺動させることにより、画像読取りにおける原稿Ｄの搬送がスムーズに行なわれることにより、良好な画像データを取得できる。
【００４６】
また、画像形成装置１０に設ける本実施形態の画像読取装置１２によると、原稿Ｄが押し付けられながら原稿ガラス１２２上を通過することによる自掃効果によって、原稿ガラス１２２表面のクリーニング効果も得られる。
【符号の説明】
【００４７】
１０  画像形成装置
１１  装置本体（画像形成部）
１２  画像読取装置
１２１  画像読取装置（ＲＡＤＦ）
１２２  原稿ガラス
３２  搬送機構
３２ａ  第１のガイド部材（外側ガイド部材）
３２ｂ  第２のガイド部材（内側ガイド部材）
３２ｇ  第１の搬送ローラ（上流ローラ）
３２ｈ  第２の搬送ローラ（下流ローラ）
３４  搬送ガイド
３４ａ  支持フランジ部
３４ｂ  付勢フランジ部
３４ｃ  上流側突部
３４ｄ  下流側突部
３４ｅ  案内突部
３５  付勢部材
【図１】
2010021995.tif 000003
【図２】
2010021995.tif 000004
【図３】
2010021995.tif 000005
【図４】
2010021995.tif 000006
【図５】
2010021995.tif 000007
【図６】
2010021995.tif 000008
【図７】
2010021995.tif 000009